(57)【特許請求の範囲】
【請求項１】
インジェクタと，燃料デリバリ管におけるインジェクタ用接続ソケットとの差し込み接続部に，これらの軸線方向から見てコ字状にした連結部材を，当該連結部材における左右両側面板が前記インジェクタ用接続ソケットにその軸線回りに回転不能に係合するように着脱自在に被嵌して，この連結部材により，前記インジェクタを前記燃料デリバリ管のインジェクタ用接続ソケットにその軸線回りに自在に回動し得る状態のもとで抜け不能に着脱自在に連結し，前記連結部材を，前記インジェクタにおける左右両側のうちこれに着脱自在に接続する通電用コネクタの側から被嵌する一方，前記通電用コネクタを，前記インジェクタに接続したとき，所定位置に組み付けた状態の前記連結部材のうち前記両側面板の相互間を繋ぐ基端板に，当該通電用コネクタが前記インジェクタの軸線回りの回動を阻止するように近接又は接当する構成にして成るインジェクタの接続装置において，
前記インジェクタと前記連結部材との間に，当該インジェクタを前記通電用コネクタの接続可能な回動位置にしたとき，前記インジェクタの前記接続可能な回動位置を越える方向への回動は阻止するが逆方向への回動は阻止しないように構成したストッパー手段を設けたことを特徴とする内燃機関におけるインジェクタの接続装置。
【発明の詳細な説明】
【技術分野】
【０００１】
本発明は，燃料噴射式の内燃機関において，燃料を噴射供給するインジェクタ（燃料噴射弁）を，燃料ポンプからの燃料を各気筒に分配するための燃料デリバリ管に対して接続する装置に関するものである。
【背景技術】
【０００２】
従来，内燃機関における燃料噴射用インジェクタの装着は，その先端におけるノズル部を，シリンダヘッド又は吸気マニホールド等に設けたインジェクタ装填孔に着脱自在に差し込むことによって接続する一方，その他端における燃料入口部を，前記シリンダヘッドに沿うように配設の燃料デリバリ管に設けたインジェクタ用接続ソケットに対して着脱自在に嵌合することによって接続するという構成にしている。
【０００３】
また，従来は，前記のように装着されたインジェクタにおいて，そのシリンダヘッド又は吸気マニホールド等のインジェクタ装填孔への接続部，及び，燃料デリバリ管のインジェクタ用接続ソケットへの接続部における漏洩試験は，前記二つの接続部に対して適宜の内圧を付与した状態で，当該インジェクタをその軸線の回りに適宜角度の範囲内で往復して回動することによって行うようにしている。
【０００４】
先行技術としての特許文献１は，
「インジェクタと，燃料デリバリ管におけるインジェクタ用接続ソケットとの差し込み接続部に，これらの軸線方向から見てコ字状にした連結部材を，当該連結部材における左右両側面板が前記インジェクタ用接続ソケットにその軸線回りに回転不能に係合するように着脱自在に被嵌して，この連結部材により，前記インジェクタを前記燃料デリバリ管のインジェクタ用接続ソケットにその軸線回りに自在に回動し得る状態のもとで抜け不能に着脱自在に連結する構成にし，前記連結部材を，前記インジェクタにおける左右両側のうちこれに着脱自在に接続する通電用コネクタの側から被嵌する一方，前記通電用コネクタを，前記インジェクタに接続したとき，所定位置に組み付けた状態の前記連結部材のうち前記両側面板の相互間を繋ぐ基端板に，当該通電用コネクタが前記インジェクタにおけるその軸線回りの回動を阻止するように近接するか接当するように構成する。」
ことを提案している。
【０００５】
この先行技術の構成によると，前記インジェクタを，前記燃料デリバリ管におけるインジェクタ用接続ソケットに対して前記連結部材にて連結した状態で，前記インジェクタにおける通電用コネクタを取り外したときに，その軸線回りに回動することができるから，各接続部における漏洩試験を，インジェクタをその軸線回りに回動しながら行うことができる。
【０００６】
その一方で，前記連結部材は，前記通電用コネクタをインジェクタから引き抜かない限り，取り外すことができないから，前記通電用コネクタを接続したままで前記連結部材を取り外して内燃機関の運転ができるようになることを確実に阻止することができ，しかも，前記燃料デリバリ管におけるインジェクタ用接続ソケットに回転不能に係合する前記連結部材にて，前記インジェクタを所定の回動位置に回動不能に位置決めすることができるから，前記インジェクタ用接続ソケットに回転阻止用の突起体を設けることを省略でき，燃料デリバリ管における形状の簡単化及び軽量化を図ることができる。
【先行技術文献】
【特許文献】
【０００７】
【特許文献１】特開２００７−１０７４２０号公報
【発明の概要】
【発明が解決しようとする課題】
【０００８】
しかし，前記先行技術の構成によると，各接続部における漏洩試験を，前記インジェクタをその軸線回りに回動しながら行ったあとにおいて，前記インジェクタにおける回動位置を，当該インジェクタに通電用コネクタを接続することができる所定の回動位相に位置合わせるすることが必要で，この漏洩試験後における回動位相の位置合わせを，目視による手作業にて行なうようにしなければならないから，この分，組み付け作業が複雑になり，作業性が低いという問題があった。
【０００９】
本発明は，この問題を解消したインジェクタの接続装置を提供することを技術的課題とするものである。
【課題を解決するための手段】
【００１０】
この技術的課題を達成するため本発明は，
「インジェクタと，燃料デリバリ管におけるインジェクタ用接続ソケットとの差し込み接続部に，これらの軸線方向から見てコ字状にした連結部材を，当該連結部材における左右両側面板が前記インジェクタ用接続ソケットにその軸線回りに回転不能に係合するように着脱自在に被嵌して，この連結部材により，前記インジェクタを前記燃料デリバリ管のインジェクタ用接続ソケットにその軸線回りに自在に回動し得る状態のもとで抜け不能に着脱自在に連結し，前記連結部材を，前記インジェクタにおける左右両側のうちこれに着脱自在に接続する通電用コネクタの側から被嵌する一方，前記通電用コネクタを，前記インジェクタに接続したとき，所定位置に組み付けた状態の前記連結部材のうち前記両側面板の相互間を繋ぐ基端板に，当該通電用コネクタが前記インジェクタの軸線回りの回動を阻止するように近接又は接当する構成にして成るインジェクタの接続装置において，
前記インジェクタと前記連結部材との間に，当該インジェクタを前記通電用コネクタの接続可能な回動位置にしたとき，前記インジェクタの前記接続可能な回動位置を越える方向への回動は阻止するが逆方向への回動は阻止しないように構成したストッパー手段を設けた。」
ことを特徴としている。
【発明の効果】
【００１１】
この構成によると，インジェクタの各接続部における漏洩試験を当該インジェクタをその軸線回りに回動しながら行ったあとにおいて，前記インジェクタを，ストッパー手段による回動阻止の状態にまで回動した位置にする。
【００１２】
これにより，前記インジェクタを，通電用コネクタの接続可能な所定の回動位相に，正確に位置合わせすることができるから，前記先行技術のように目視による位置合わせに比べ，組み付け作業が簡単になり，作業性を向上でき，ひいては，コストを低減できる。
【図面の簡単な説明】
【００１３】
【図１】本発明の実施の形態を示す一部切欠正面図である。
【図２】図１のII−II視断面図である。
【図３】図２の分解図である。
【図４】図１のIV−IV視断面図である。
【図５】図１のＶ−Ｖ視断面図である。
【発明を実施するための形態】
【００１４】
以下，本発明の実施の形態を，図１〜図５の図面について説明する。
【００１５】
これらの図において，符号１は，内燃機関における各気筒の各々に対して燃料を噴射供給するためのインジェクタを示す。
【００１６】
このインジェクタ１の下端におけるノズル部１ａは，これにシール用の弾性体リング２を被嵌した状態で，内燃機関のシリンダヘッド３又は吸気マニホールドにおけるインジェクタ装填孔３ａの内部に着脱自在に差し込むことによって接続されている。
【００１７】
また，インジェクタ１の上端における燃料入口部１ｂは，これにシール用の弾性体リング４を被嵌した状態で，前記シリンダヘッド３又は吸気マニホールドに取付けられる燃料デリバリ管５に一体に設けたインジェクタ用接続ソケット６の内部７に着脱自在に差し込むことによって接続されている。
【００１８】
更にまた，前記インジェクタ１における一方の側面には，図示しない制御回路装置に繋がる通電用コネクタ８を着脱自在に接続するようにした配線接続用受けコネクタ１ｃが，その軸線を前記インジェクタ１における軸線１ｄに対して斜め上向きに傾斜するようにして一体に設けられている。
【００１９】
符号９は，弾性を有する金属板にて，前記インジェクタ１における軸線１ｄの方向から見てコ字状に構成した連結部材を示し，この連結部材９は，その左右の両側面板９ａ，９ｂと，その相互間を一体的に連結する基端板９ｃとによって構成されている。
【００２０】
前記連結部材９は，前記燃料デリバリ管５におけるインジェクタ用接続ソケット６の外側に，図２，図３及び図４に矢印Ａで示すように，前記インジェクタ１における左右両側のうち前記配線接続用受けコネクタ１ｃの側から，当該連結部材９における左右両側面板９ａ，９ｂが前記インジェクタ用接続ソケット６の外周面に接触するように着脱自在に被嵌されている。
【００２１】
この連結部材９は，図４に示すように，その左右両側面板９ａ，９ｂに穿設した係合孔１０，１１に，前記インジェクタ用接続ソケット６から一体に突出する突起片１２，１３を着脱自在に嵌まり係合することにより，前記インジェクタ用接続ソケット６に対して回転不能に係合している。
【００２２】
更に，前記連結部材９には，その左右の両側面板９ａ，９ｂに内向きに折り曲げて設けた係合片１４，１５を一体に備えており，この係合片１４，１５を，前記インジェクタ１における外周面の左右両側にその軸線と直角の方向に延びるようにした摺動溝１６，１７に回転自在に嵌まり係合することにより，前記連結部材９により，前記インジェクタ１を前記インジェクタ用接続ソケット６に対して，当該インジェクタ１における軸線１ｄの回りに自在に回動し得る状態のもとで抜け不能に着脱自在に連結するという構成にしている。
【００２３】
そして，前記インジェクタ１における配線接続用受けコネクタ１ｃに前記通電用コネクタ８を差し込み接続したとき，この通電用コネクタ８が，図２に二点鎖線で示すように，前記インジェクタ１における軸線１ｄの方向から見て，前記連結部材９において左右両側面板９ａ，９ｂの相互間を繋ぐ基端板９ｃに対して，前記インジェクタ１におけるその軸線回りの回動を阻止するように近接するか，又は接当するという構成にしている。
【００２４】
これに加えて，前記連結部材９における両係合片１４，１５のうち少なくとも一方の係合片１４を，前記インジェクタ１における軸線１ｄの方向から見たときにおける回動位相が図２に二点鎖線で示すようにその配線接続用受けコネクタ１ｃへの前記通電用コネクタ８の差し込み接続可能な位置にあるとき，当該一方の係合片１４がその摺動溝１６の終端１６ａに対して接当することにより，前記インジェクタ１が，前記接続可能な回動位相を越えて矢印Ｂの方向に回動することを阻止し，矢印Ｃで示す逆方向への回動を阻止しないように構成する。
【００２５】
つまり，前記一方の係合片１４と，これが嵌まり係合する摺動溝１６の終端１６ａとによって，前記インジェクタ１における配線接続用受けコネクタ１ｃを図２に二点鎖線で示すように前記通電用コネクタ８の接続可能な回動位置にしたとき，前記インジェクタ１の前記接続可能な回動位置を越える方向Ｂへの回動は阻止するが，これと逆方向Ｃには回動阻止せずに自由に回動できるように構成したストッパー手段１８を構成している。
【００２６】
また，他の実施の形態においては，前記ストッパー手段１８を，図示以外の構成にすることができる。
【００２７】
この構成において，前記インジェクタ１は，その配線接続用受けコネクタ１ｃを概略連結部材９における基端板９ｃの方向に向けた状態で，矢印Ｃ又はＢの方向に回動することができるから，前記インジェクタ１におけるシリンダヘッド３又は吸気マニホールドのインジェクタ装填孔３ａ及び燃料デリバリ管５のインジェクタ用接続ソケット６への差し込み接続部における漏洩試験を，当該インジェクタ１をその軸線回りに回動しながら行うことができる。
【００２８】
この漏洩試験が終わると，前記インジェクタ１を，矢印Ｂの方向に回動することにより，このインジェクタ１は，ストッパー手段１８にて矢印Ｂの方向への回動が阻止されることにより，当該インジェクタ１における配線接続用受けコネクタ１ｃに対して通電用コネクタ８を差し込み接続することが可能な回動位相に，正確に位置合わせされる。
【００２９】
そこで，前記インジェクタ１における配線接続用受けコネクタ１ｃに通電用コネクタ８を差し込み接続することにより，この通電用コネクタ８が，前記連結部材９において両側面板９ａ，９ｂを繋ぐ基端板９ｃに対して，近接するか，又は接当するから，前記インジェクタ１を所定の回動位置に回動不能に位置決めすることができる。
【００３０】
これにより，前記通電用コネクタ８のインジェクタ１における配線接続用受けコネクタ１ｃに対する差し込み接続は，前記連結部材９を，所定位置に完全に組み付けたときにおいて可能になるのであり，一方，前記連結部材９は，前記通電用コネクタ８をインジェクタ１における配線接続用受けコネクタ１ｃから引き抜かない限り，取り外すことができないのである。
【００３１】
なお，前記図示の実施の形態は，前記連結部材９における両側面板９ａ，９ｂに穿設した係合孔１０，１１に，前記インジェクタ用接続ソケット６から一体に突出した突起片１２，１３を着脱自在に嵌まり係合することによって，前記連結部材９を前記インジェクタ用接続ソケット６に対して回転不能に係合するように構成した場合であったが，前記連結部材９における両側面板９ａ，９ｂに突起片を一体に設け，この突起片を，前記インジェクタ用接続ソケット６に設けた孔又は凹所に着脱自在に嵌まり係合することによって，前記連結部材９を前記インジェクタ用接続ソケット６に対して回転不能に係合するように構成することができる。
【００３２】
また，前記図示の実施の形態は，前記連結部材９における両側面板９ａ，９ｂに一体に設けた係合片１４，１５を，前記インジェクタ１の外周面に設けた環状溝１６に回転自在に嵌まり係合することにより，前記インジェクタ１を前記インジェクタ用接続ソケット６に対して，当該インジェクタ１における軸線１ｄの回りに自在に回動し得る状態のもとで抜け不能に着脱自在に連結するという構成にした場合であったが，前記連結部材９における両側面板９ａ，９ｂに長溝型の係合孔を穿設し，この係合孔内に，前記インジェクタ１の外周面に一体に設けた突起を回転自在に嵌まり係合することにより，前記インジェクタ１を前記インジェクタ用接続ソケット６に対して，当該インジェクタ１における軸線１ｄの回りに自在に回動し得る状態のもとで抜け不能に着脱自在に連結するとともに，前記長溝型の係合孔の一端で，前記インジェクタの前記接続可能な回動位置を越える方向への回動は阻止するが逆方向への回動は阻止しないように構成ことができる。
【００３３】
更にまた，前記図示の実施の形態は，前記インジェクタ１における燃料入口部１ｂを，燃料デリバリ管５におけるインジェクタ用接続ソケット６の内部７に着脱自在に差し込み接続する場合であったが，前記インジェクタ用接続ソケット６の方を，前記インジェクタ１における燃料入口部１ｂの内部に着脱自在に差し込み接続するように構成しても良いことはいうまでもない。
【符号の説明】
【００３４】
１                        インジェクタ
１ｃ                      インジェクタにおける配線接続用受けコネクタ
１ｄ                      インジェクタの軸線
３                        シリンダヘッド
３ａ                      インジェクタ装填孔
５                        燃料デリバリ管
６                        燃料デリバリ管におけるインジェクタ用接続ソケット
８                        通電用コネクタ
９                        連結部材                                              ９ａ，９ｂ                連結部材の側面板
９ｃ                      連結部材の基端板
１４，１５                係合片
１６，１７                摺動溝
１８                      ストッパー手段
【図１】
0005571508.tif 000002
【図２】
0005571508.tif 000003
【図３】
0005571508.tif 000004
【図４】
0005571508.tif 000005
【図５】
0005571508.tif 000006